(57)【特許請求の範囲】
【請求項１】
互いに交差する複数のドライブ線及び複数の走査線と、前記ドライブ線及び前記走査線による複数の交差位置各々にて前記走査線及び前記ドライブ線間に接続された極性を有し発光色の違いで複数種類に分けられる複数の容量性発光素子と、からなり、同一の前記ドライブ線上には同種類の前記容量性発光素子が配置された多色発光表示パネルの駆動装置であって、
前記走査線に第１電位と前記第１電位よりも高い第２電位とを選択的に供給し、かつ前記ドライブ線に電流源から出力される駆動電流と前記素子にその発光閾値電圧以下のオフセット電圧を印加するための第３電位とを選択的に供給する発光制御手段を備え、 前記発光制御手段は、発光色各々の輝度の段階を示す輝度データに応じて前記容量性発光素子の種類毎に前記駆動電流及び前記オフセット電圧の各レベルを設定すると共に、前記オフセット電圧が前記オフセット電圧の許容範囲内となるように前記第２電位を決定することを特徴とする多色発光表示パネルの駆動装置。
【請求項２】
前記発光制御手段は、前記複数の容量性発光素子各々の前記オフセット電圧が前記オフセット電圧の許容範囲内となるように再設定し、その再設定時の電圧変化量に応じて前記第２電位を決定することを特徴とする請求項１記載の多色発光表示パネルの駆動装置。
【請求項３】
前記発光制御手段は、前記複数の容量性発光素子各々の前記オフセット電圧の平均値が前記オフセット電圧の許容範囲の中心電圧となるように再設定し、その再設定時の電圧変化量に応じて前記第２電位を決定することを特徴とする請求項１記載の多色発光表示パネルの駆動装置。
【請求項４】
前記発光制御手段は、入力画像データの走査タイミングに応じて前記複数の走査線のうちから１の走査線を選択する走査期間とそれに続くリセット期間とを繰り返し設定し、前記走査期間に前記入力画像データに応じて前記１の走査線上の発光させるべき容量性発光素子に対応する現駆動ドライブ線を指定する指定手段と、
前記走査期間に前記１の走査線に第１電位を印加しかつ前記１の走査線以外の走査線に前記第２電位を印加し、前記リセット期間に前記第１電位を全ての走査線に印加する走査手段と、
前記走査期間に前記発光閾値電圧以上の正電圧を前記発光させるべき容量性発光素子に順方向に印加するために前記現駆動ドライブ線に前記駆動電流を供給し、前記リセット期間にはその次の走査期間に発光させるべき容量性発光素子に前記発光閾値電圧以下のオフセット電圧を印加するために前記次期駆動ドライブ線に前記第３電位を供給するドライブ手段と、を備えたことを特徴とする請求項１記載の多色発光表示パネルの駆動装置。
【請求項５】
前記ドライブ手段は、前記駆動電流を出力する可変電流源と、前記第３電位を与える可変電圧源とを前記複数のドライブ線各々に対応して有することを特徴とする請求項１又は４記載の多色発光表示パネルの駆動装置。
【請求項６】
前記ドライブ手段は、前記リセット期間には前記次期駆動ドライブ線以外のドライブ線には前記第１電位を印加することを特徴とする請求項４記載の多色発光表示パネルの駆動装置。
【請求項７】
前記第１電位はアース電位であり、前記第２電位は固定電位であり、前記第３電位は前記オフセット電圧に等しいことを特徴とする請求項１又は４記載の駆動装置。
【請求項８】
前記走査期間に前記容量性発光素子の種類に対応した前記駆動電流の供給によって容量性発光素子の両端に印加される電圧は前記第２電位に前記オフセット電圧を加えた電圧に等しいことを特徴とする請求項１又は４記載の駆動装置。
【請求項９】
前記第２電位を可変可能にしたことを特徴とする請求項１記載の多色発光表示パネルの駆動装置。
【請求項１０】
前記走査手段は、前記第２電位を与える可変電圧源を前記複数の走査線各々に対応して有することを特徴とする請求項９記載の多色発光表示パネルの駆動装置。
【請求項１１】
前記容量性発光素子は有機エレクトロルミネッセンス素子であることを特徴とする請求項１記載の駆動装置。
【請求項１２】
互いに交差する複数のドライブ線及び複数の走査線と、前記ドライブ線及び前記走査線による複数の交差位置各々にて前記走査線及び前記ドライブ線間に接続された極性を有し発光色の違いで複数種類に分けられる複数の容量性発光素子とからなり、同一の前記ドライブ線上には同種類の前記容量性発光素子が配置された多色発光表示パネルの駆動方法であって、
前記走査線に第１電位と前記第１電位よりも高い第２電位とを選択的に供給し、かつ前記ドライブ線に電流源から出力される駆動電流と前記素子にその発光閾値電圧以下のオフセット電圧を印加するための第３電位とを選択的に供給し、
発光色各々の輝度の段階を示す輝度データに応じて前記容量性発光素子の種類毎に前記駆動電流及び前記オフセット電圧の各レベルを設定すると共に、前記オフセット電圧が前記オフセット電圧の許容範囲内となるように前記第２電位を決定することを特徴とする多色発光表示パネルの駆動方法。
【発明の詳細な説明】
【０００１】
【発明が属する技術分野】
本発明は、有機エレクトロルミネッセンス素子等の容量性発光素子を用いた多色発光表示パネルの駆動装置及び駆動方法に関する。
【０００２】
【従来の技術】
近年、表示装置の大型化に伴い、薄型の表示装置が要求され、各種の薄型表示装置が実用化されている。有機エレクトロルミネッセンス素子の複数をマトリクス状に配列して構成されるエレクトロルミネッセンスディスプレイ装置は、かかる薄型表示装置の１つとして着目されている。
【０００３】
有機エレクトロルミネッセンス素子は、図１に示すように、透明電極１０１が形成されたガラス板などの透明基板１００上に、電子輸送層、発光層、正孔輸送層などからなる少なくとも１層の有機機能層１０２、及び金属電極１０３が積層されたものである。透明電極１０１の陽極にプラス、金属電極１０３の陰極にマイナスの電圧を加え、すなわち、透明電極及び金属電極間に直流を印加することにより、有機機能層１０２が発光する。良好な発光特性を期待することのできる有機化合物を有機機能層に使用することによって、エレクトロルミネッセンスディスプレイが実用に耐えうるものになっている。
【０００４】
有機エレクトロルミネッセンス素子（以下、単にＥＬ素子という）は、電気的には、図２のような等価回路にて表すことができる。図から分かるように、ＥＬ素子は、容量成分Ｃと、該容量成分に並列に結合するダイオード特性の成分Ｅとによる構成に置き換えることができる。よって、ＥＬ素子は、容量性の発光素子であると考えられる。ＥＬ素子は、直流の発光駆動電圧が電極間に印加されると、電荷が容量成分Ｃに蓄積され、続いて当該素子固有の障壁電圧または発光閾値電圧を越えると、電極（ダイオード成分Ｅの陽極側）から発光層を担う有機機能層に電流が流れ始め、この電流に比例した強度で発光する。
【０００５】
かかるＥＬ素子の電圧Ｖ−電流Ｉ−輝度Ｌの特性は、図３に示すように、ダイオードの特性に類似しており、発光閾値電圧Ｖｔｈ以下の電圧では電流Ｉは極めて小さく、発光閾値電圧Ｖｔｈ以上の電圧になると電流Ｉは急激に増加する。また、電流Ｉと輝度Ｌはほぼ比例する。このようなＥＬ素子は、発光閾値電圧Ｖｔｈを超える駆動電圧をＥＬ素子に印加すれば当該駆動電圧に応じた電流に比例した発光輝度を呈し、印加される駆動電圧が発光閾値電圧Ｖｔｈ以下であれば駆動電流が流れず発光輝度もゼロに等しいままである。
【０００６】
かかるＥＬ素子の複数を用いた発光表示パネルの駆動方法としては、単純マトリクス駆動方式が知られている。図４に多色発光表示パネルの単純マトリクス駆動方式の駆動装置の一例の構造を示す。発光表示パネルにおいては、ｎ個の陰極線（金属電極）Ｂ１〜Ｂｎが横方向に、ｍ個の陽極線（透明電極）Ａ１Ｒ，Ａ１Ｇ，Ａ１Ｂ〜ＡｍＲ，ＡｍＧ，ＡｍＢが縦方向に平行に設けられ、各々の交差した部分（計ｎ×ｍ個）にＥＬ素子Ｅ１Ｒ，１，Ｅ１Ｇ，１，Ｅ１Ｂ，１〜ＥｍＲ，ｎ，ＥｍＧ，ｎ，ＥｍＢ，ｎが形成されている。ＥＬ素子Ｅ１Ｒ，１〜ＥｍＲ，ｎが赤色発光をなし、ＥＬ素子Ｅ１Ｇ，１〜ＥｍＧ，ｎが緑色発光をなし、ＥＬ素子Ｅ１Ｂ，１〜ＥｍＢ，ｎが青色発光をなす。各陰極線において連続する赤色、緑色、青色の３原色各々の３つのＥＬ素子（例えば、Ｅ１Ｒ，１，Ｅ１Ｇ，１，Ｅ１Ｂ，１）で１画素を形成する。ＥＬ素子Ｅ１Ｒ，１，Ｅ１Ｇ，１，Ｅ１Ｂ，１〜ＥｍＲ，ｎ，ＥｍＧ，ｎ，ＥｍＢ，ｎは、格子状に配列され、垂直方向に沿う陽極線Ａ１Ｒ，Ａ１Ｇ，Ａ１Ｂ〜ＡｍＲ，ＡｍＧ，ＡｍＢと水平方向に沿う陰極線Ｂ１  〜Ｂｎとの交差位置に対応して一端（上記の等価回路のダイオード成分Ｅの陽極線側）が陽極線に接続され、他端（上記の等価回路のダイオード成分Ｅの陰極線側）が陰極線に接続されている。陰極線は陰極線走査回路１に接続され、陽極線は陽極線ドライブ回路２及び陽極線リセット回路３に接続されている。
【０００７】
陰極線走査回路１は、各陰極線の電位を個別に定める陰極線Ｂ１  〜Ｂｎに対応する走査スイッチ５１  〜５ｎを有し、各々が、逆バイアス電圧となる正電位Ｖｃｃ及びアース電位（０Ｖ）のうちのいずれか一方の電位を、対応する陰極線に中継供給する。
陽極線ドライブ回路２は、各陽極線を通じて駆動電流をＥＬ素子個々に供給する陽極線Ａ１Ｒ，Ａ１Ｇ，Ａ１Ｂ〜ＡｍＲ，ＡｍＧ，ＡｍＢに対応した電流源２１Ｒ，２１Ｇ，２１Ｂ〜２ｍＲ，２ｍＧ，２ｍＢ（例えば定電流源）及びドライブスイッチ６１Ｒ，６１Ｇ，６１Ｂ〜６ｍＲ，６ｍＧ，６ｍＢを有し、ドライブスイッチが電流を個々に陽極線に流すオンオフ制御するように構成される。駆動源は定電圧源等の電圧源を用いることも可能であるが、上述した電流−輝度特性が温度変化に対して安定しているのに対し電圧−輝度特性が温度変化に対して不安定であること等の理由により、電流源（供給電流量が所望の値となるように制御される電源回路）を用いるのが一般的である。電流源２１Ｒ，２１Ｇ，２１Ｂ〜２ｍＲ，２ｍＧ，２ｍＢの供給電流量は、ＥＬ素子が所望の瞬時輝度で発光する状態（以下、この状態を定常発光状態と称する。）を維持するために必要な電流量とされる。また、ＥＬ素子が発光状態にある時は、上述したＥＬ素子の容量成分Ｃには供給電流量に応じた電荷が充電されているため、ＥＬ素子の両端電圧は瞬時輝度に対応した規定値Ｖｅ（以下、これを発光規定電圧と称する。）となる。
【０００８】
陽極線リセット回路３は、陽極線毎に設けられたシャントスイッチ７１Ｒ，７１Ｇ，７１Ｂ〜７ｍＲ，７ｍＧ，７ｍＢを有し、該シャントスイッチが選択されることによって陽極線をアース電位に設定する。
陰極線走査回路１、陽極線ドライブ回路２及び陽極線リセット回路３は発光制御回路４に接続される。
【０００９】
発光制御回路４は、図示せぬ画像データ発生系から供給された画像データに応じて当該画像データが担う画像を表示させるべく陰極線走査回路１、陽極線ドライブ回路２及び陽極線リセット回路３を制御する。発光制御回路４は、陰極線走査回路１に対して、走査線選択制御信号を発生し、陰極線Ｂ１  〜Ｂｎのうちの画像データの水平走査期間に対応する１の陰極線を選択してアース電位に設定し、その他の陰極線は正電位Ｖｃｃが印加されるように走査スイッチ５１  〜５ｎ  を切り換える制御を行う。正電位Ｖｃｃは、ドライブされている陽極線と走査選択がされていない陰極線との交点に接続されたＥＬ素子がクロストーク発光することを防止するために、陰極線に接続される定電圧源によって印加されるものであり、正電位Ｖｃｃ＝Ｖｅと設定されている。走査スイッチ５１  〜５ｎ  が水平走査期間毎に順次アース電位に切り換えられるので、アース電位に設定された陰極線は、その陰極線に接続されたＥＬ素子を発光可能とする走査線として機能することとなる。
【００１０】
陽極線ドライブ回路２は、かかる走査線に対して発光制御を行う。発光制御回路４は、画像データが示す画素カラー情報に従って当該走査線に接続されているＥＬ素子のいずれをどのタイミングでどの程度の時間に亘って発光させるかについてを示すドライブ制御信号（駆動パルス）を発生し、陽極線ドライブ回路２に供給する。陽極線ドライブ回路２は、このドライブ制御信号に応じて、ドライブスイッチ６１Ｒ，６１Ｇ，６１Ｂ〜６ｍＲ，６ｍＧ，６ｍＢのいずれかをオンとし、陽極線Ａ１Ｒ，Ａ１Ｇ，Ａ１Ｂ〜ＡｍＲ，ＡｍＧ，ＡｍＢを通じて該当ＥＬ素子への駆動電流の供給をなす。これにより、駆動電流の供給されたＥＬ素子は、当該画素カラー情報に応じた発光をなすこととなる。１画素分のＥＬ素子各々の発光輝度、すなわち発光期間内の発光時間によって任意のカラーが得られる。
【００１１】
陽極線リセット回路３のリセット動作は、発光制御回路４からのリセット制御信号に応じて行われる。陽極線リセット回路３は、リセット制御信号が示すリセット対象の陽極線に対応するシャントスイッチ７１Ｒ，７１Ｇ，７１Ｂ〜７ｍＲ，７ｍＧ，７ｍＢのいずれかをオンしそれ以外はオフとする。
本願と同一の出願人による特開平９−２３２０７４号公報には、単純マトリクス表示パネルにおける、走査線を切り換える直前に格子状に配された各ＥＬ素子の蓄積電荷を放出させるリセット動作を行う駆動法（以下、リセット駆動法と呼ぶ）が開示されている。このリセット駆動法は、走査線を切り換えた際のＥＬ素子の発光立上りを早めるものである。この単純マトリクス表示パネルのリセット駆動法について図４〜図６を参照して説明する。
【００１２】
なお、以下に述べる図４〜図６に示す動作は、陰極線Ｂ１  を走査してＥＬ素子Ｅ１Ｒ，１，Ｅ１Ｇ，１，Ｅ１Ｂ，１を光らせた後、陰極線Ｂ２  に走査を移してＥＬ素子Ｅ２Ｒ，２，Ｅ２Ｇ，２，Ｅ２Ｂ，２を光らせる場合を例に挙げたものである。また、説明を分かり易くするために、光っているＥＬ素子はダイオード記号にて示され、光っていない発光素子はコンデンサ記号にて示される。また、陰極線Ｂ１  〜Ｂｎ  に印加される正電位Ｖｃｃ  は、ＥＬ素子の発光規定電圧Ｖｅに等しい電位とされている。
【００１３】
先ず、図４においては、走査スイッチ５１のみが０（Ｖ）のアース電位側に切り換えられ、陰極線Ｂ１  が走査されている。他の陰極線Ｂ２  〜Ｂｎ  には、走査スイッチ５２  〜５ｎ  により正電位Ｖｃｃが印加されている。同時に、陽極線Ａ１Ｒ，Ａ１Ｇ，Ａ１Ｂには、ドライブスイッチ６１Ｒ，６１Ｇ，６１Ｂによって電流源２１Ｒ，２１Ｇ，２１Ｂが接続されている。また、他の陽極線Ａ２Ｒ，Ａ２Ｇ，Ａ２Ｂ  〜ＡｍＲ，ＡｍＧ，ＡｍＢには、シャントスイッチ７２Ｒ，７２Ｇ，７２Ｂ  〜７ｍＲ，７ｍＧ，７ｍＢによって０（Ｖ）のアース電位側に切り換えらている。よって、図４の場合、ＥＬ素子Ｅ１Ｒ，１，Ｅ１Ｇ，１，Ｅ１Ｂ，１のみが順方向に電圧が印加され、電流源２１Ｒ，２１Ｇ，２１Ｂから矢印のように駆動電流が流れ込み、ＥＬ素子Ｅ１Ｒ，１，Ｅ１Ｇ，１，Ｅ１Ｂ，１のみが発光することとなる。この状態においては、ハッチングして示される非発光のＥＬ素子Ｅ２Ｒ，２，Ｅ２Ｇ，２，Ｅ２Ｂ，２〜ＥｍＲ，ｎ，ＥｍＧ，ｎ，ＥｍＢ，ｎは、それぞれ図示の如き極性に充電されることとなる。
【００１４】
この図４の発光状態から、次のＥＬ素子Ｅ２Ｒ，２，Ｅ２Ｇ，２，Ｅ２Ｂ，２の発光をなす状態に走査を移行する直前に、以下のようなリセット制御が行われる。すなわち、図５に示すように全てのドライブスイッチ６１Ｒ，６１Ｇ，６１Ｂ〜６ｍＲ，６ｍＧ，６ｍＢが開放されると共に、全ての走査スイッチ５１  〜５ｎ  と全てのシャントスイッチ７１Ｒ，７１Ｇ，７１Ｂ〜７ｍＲ，７ｍＧ，７ｍＢとが０（Ｖ）のアース電位側に切り換えられ、陽極線Ａ１Ｒ，Ａ１Ｇ，Ａ１Ｂ〜ＡｍＲ，ＡｍＧ，ＡｍＢと陰極線Ｂ１  〜Ｂｎとが一旦０（Ｖ）のアース電位側に等しくされてオールリセットが掛けられる。このオールリセットが行われると、陽極線と陰極線の全てが０（Ｖ）の同電位となるので、各ＥＬ素子に充電されていた電荷は放電し、全てのＥＬ素子の充電電荷が瞬時のうちに無くなる。
【００１５】
このようにして全てのＥＬ素子の充電電荷をゼロにした後、今度は図６に示すように、陰極線Ｂ２  に対応する走査スイッチ５２  のみを０（Ｖ）側に切り換え、陰極線Ｂ２  の走査を行う。これと同時に、ドライブスイッチ６２Ｒ，６２Ｇ，６２Ｂを閉じて電流源２２Ｒ，２２Ｇ，２２Ｂを対応の陽極線Ａ２Ｒ，Ａ２Ｇ，Ａ２Ｂに接続せしめるとともに、シャントスイッチ７１Ｒ，７１Ｇ，７１Ｂ  ，７３Ｒ，７３Ｇ，７３Ｂ  〜７ｍＲ，７ｍＧ，７ｍＢをオンとし、陽極線Ａ１Ｒ，Ａ１Ｇ，Ａ１Ｂ  ，Ａ３Ｒ，Ａ３Ｇ，Ａ３Ｂ  〜ＡｍＲ，ＡｍＧ，ＡｍＢに０（Ｖ）を与える。よって、図６の場合、ＥＬ素子Ｅ２Ｒ，２，Ｅ２Ｇ，２，Ｅ２Ｂ，２のみに順方向に電圧が印加され、電流源２２Ｒ，２２Ｇ，２２Ｂから矢印のように駆動電流が流れ込み、ＥＬ素子Ｅ２Ｒ，２，Ｅ２Ｇ，２，Ｅ２Ｂ，２のみが発光することとなる。
【００１６】
このように、上記リセット駆動法の発光制御は、陰極線Ｂ１  〜Ｂｎ  のうちのいずれかをアクティブにする期間である走査モードと、これに後続するリセットモードとの繰り返しである。かかる走査モードとリセットモードは、画像データの１水平走査期間（１Ｈ）毎に行われる。仮にリセット制御をせずに、図４の状態から図６の状態に直接移行したとすると、例えば、電流源２２Ｒ，２２Ｇ，２２Ｂから供給される駆動電流は、ＥＬ素子Ｅ２Ｒ，２，Ｅ２Ｇ，２，Ｅ２Ｂ，２に流れ込むだけではなく、ＥＬ素子Ｅ２Ｒ，３〜Ｅ２Ｒ，ｎ，Ｅ２Ｇ，３〜Ｅ２Ｇ，ｎ，Ｅ２Ｂ，３〜Ｅ２Ｂ，ｎに充電された逆方向電荷（図４に図示）のキャンセルにも費やされるため、ＥＬ素子Ｅ２Ｒ，２，Ｅ２Ｇ，２，Ｅ２Ｂ，２を発光状態にする（ＥＬ素子Ｅ２Ｒ，２，Ｅ２Ｇ，２，Ｅ２Ｂ，２の両端電圧を発光規定電圧Ｖｅにする）には時間を要することとなる。
【００１７】
しかしながら、上述したリセット制御を行うと、陰極線Ｂ２の走査に切り換わった瞬間において、陽極線Ａ２Ｒ，Ａ２Ｇ，Ａ２Ｂの電位は約Ｖｃｃとなるため、次に発光させるべきＥＬ素子Ｅ２Ｒ，２，Ｅ２Ｇ，２，Ｅ２Ｂ，２には、電流源２２Ｒ，２２Ｇ，２２Ｂだけではなく陰極線Ｂ１、Ｂ３〜Ｂｎに接続された定電圧源からの複数のルートからも充電電流が図６に示すように流れ込み、この充電電流によって寄生容量（上記の容量成分Ｃ）が充電されて発光規定電圧Ｖｅまで達し発光状態に移行できる。その後、陰極線Ｂ２の走査期間内においては上述したように電流源から供給される電流量はＥＬ素子が発光規定電圧Ｖｅでの発光状態を維持できるだけの電流量とされているので、電流源２２Ｒ，２２Ｇ，２２Ｂから供給される電流はＥＬ素子Ｅ２Ｒ，２，Ｅ２Ｇ，２，Ｅ２Ｂ，２のみに流れ込み、すべてが発光に費やされ、図６に示した発光状態を持続する。
【００１８】
以上述べたように、リセット駆動法によれば、次の走査線の発光制御に移行する前に、陰極線と陽極線の全てが一旦アース電位である０（Ｖ）又は正電位Ｖｃｃ  の同電位に接続されてリセットされるので、次の走査線に切り換えられた際に、発光規定電圧Ｖｅまでの充電を速くし、切り換えられた走査線上の発光すべきＥＬ素子の発光の立上りを早くすることができる。
【００１９】
【発明が解決しようとする課題】
ところが、赤色、緑色、青色用のＥＬ素子においては、発光材料を含む素子構造が各々異なっているので、輝度Ｉ−電圧Ｖ特性も互いに異なっている場合がほとんどである。よって、１画素を形成するＥＬ素子が全て発光してその画素の表示が白となるときに各ＥＬ素子の両端に印加される電圧も互いに異なるので、発光規定電圧Ｖｅは赤色、緑色、青色用のＥＬ素子毎に異なることが普通である。それ故、上記したようにリセット制御によって赤色、緑色、青色用のＥＬ素子各々には逆バイアス電圧Ｖｃｃが印加され、リセット制御後に次の走査の陰極線が選択されると、選択された陰極線上の発光されるべきＥＬ素子各々の両端電圧が赤色、緑色、青色用毎の発光規定電圧Ｖｅに達するまでに時間差が生じ、発光規定電圧Ｖｅでの発光が同時に開始されないので、色ずれが生じるという問題点があった。
【００２０】
そこで、本発明の目的は、発光色が互いに異なる容量性発光素子各々の発光の立ち上がり特性の改善を図ることができる多色発光表示パネルの駆動装置及び駆動方法を提供することである。
【００２１】
【課題を解決するための手段】
本発明の多色発光表示パネルの駆動装置は、互いに交差する複数のドライブ線及び複数の走査線と、ドライブ線及び走査線による複数の交差位置各々にて走査線及びドライブ線間に接続された極性を有し発光色の違いで複数種類に分けられる複数の容量性発光素子と、からなり、同一のドライブ線上には同種類の容量性発光素子が配置された多色発光表示パネルの駆動装置であって、走査線に第１電位と第１電位よりも高い第２電位とを選択的に供給し、かつドライブ線に電流源から出力される駆動電流と素子にその発光閾値電圧以下のオフセット電圧を印加するための第３電位とを選択的に供給する発光制御手段を備え、発光制御手段は、発光色各々の輝度の段階を示す輝度データに応じて容量性発光素子の種類毎に駆動電流及びオフセット電圧の各レベルを設定すると共に、オフセット電圧がオフセット電圧の許容範囲内となるように第２電位を決定することを特徴としている。
【００２３】
本発明の多色発光表示パネルの駆動方法は、互いに交差する複数のドライブ線及び複数の走査線と、ドライブ線及び走査線による複数の交差位置各々にて走査線及びドライブ線間に接続された極性を有し発光色の違いで複数種類に分けられる複数の容量性発光素子とからなり、同一のドライブ線上には同種類の容量性発光素子が配置された多色発光表示パネルの駆動方法であって、走査線に第１電位と第１電位よりも高い第２電位とを選択的に供給し、かつドライブ線に電流源から出力される駆動電流と素子にその発光閾値電圧以下のオフセット電圧を印加するための第３電位とを選択的に供給し、
発光色各々の輝度の段階を示す輝度データに応じて容量性発光素子の種類毎に駆動電流及びオフセット電圧の各レベルを設定すると共に、オフセット電圧がオフセット電圧の許容範囲内となるように第２電位を決定することを特徴としている。
【００２５】
【発明の実施の形態】
以下、本発明の実施例を図面を参照しつつ詳細に説明する。
図７は本発明を容量性発光素子としてＥＬ素子を用いた多色発光表示パネルに適用したディスプレイ装置の概略的な構成を示している。このディスプレイ装置は、容量性発光表示パネル１１と、発光制御回路１２と、陰極線走査回路１３と、陽極線ドライブ回路１４とを有する。
【００２６】
発光表示パネル１１は、図８に示すように図４〜図６に示したものと同様に構成されている。すなわち、ドライブ線の陽極線Ａ１Ｒ，Ａ１Ｇ，Ａ１Ｂ〜ＡｍＲ，ＡｍＧ，ＡｍＢ及び走査線の陰極線Ｂ１〜Ｂｎの複数の交差位置にマトリクス状に配置され、複数のＥＬ素子Ｅ１Ｒ，１，Ｅ１Ｇ，１，Ｅ１Ｂ，１〜ＥｍＲ，ｎ，ＥｍＧ，ｎ，ＥｍＢ，ｎは、陽極線Ａ１Ｒ，Ａ１Ｇ，Ａ１Ｂ〜ＡｍＲ，ＡｍＧ，ＡｍＢ及び陰極線Ｂ１〜Ｂｎの複数の交差位置各々にて陽極線と陰極線との間に接続されている。ＥＬ素子Ｅ１Ｒ，１〜ＥｍＲ，ｎが赤色発光をなし、ＥＬ素子Ｅ１Ｇ，１〜ＥｍＧ，ｎが緑色発光をなし、ＥＬ素子Ｅ１Ｂ，１〜ＥｍＢ，ｎが青色発光をなす。各陰極線において連続する赤色（Ｒ）、緑色（Ｇ）、青色（Ｂ）の３つのＥＬ素子（例えば、Ｅ１Ｒ，１，Ｅ１Ｇ，１，Ｅ１Ｂ，１）で１画素を形成する。
【００２７】
表示パネル１１の陰極線Ｂ１  〜Ｂｎには陰極線走査回路１３が接続され、陽極線Ａ１Ｒ，Ａ１Ｇ，Ａ１Ｂ〜ＡｍＲ，ＡｍＧ，ＡｍＢには陽極線ドライブ回路１４が接続されている。陰極線走査回路１３は陰極線Ｂ１〜Ｂｎ各々に対応して備えられた走査スイッチ１５１〜１５ｎを有し、走査スイッチ１５１〜１５ｎ各々は対応する陰極線に対してアース電位及び逆バイアス電位Ｖｃｃのいずれか一方の電位を供給する。走査スイッチ１５１  〜１５ｎが発光制御回路１２からの制御によって水平走査期間毎に順次アース電位に切り換えられるので、アース電位に設定された陰極線Ｂ１  〜Ｂｎは、その陰極線に接続された素子を発光可能とする走査線として機能することとなる。
【００２８】
陽極線ドライブ回路１４は陽極線Ａ１Ｒ，Ａ１Ｇ，Ａ１Ｂ〜ＡｍＲ，ＡｍＧ，ＡｍＢ各々に対応して備えられたドライブスイッチ１６１Ｒ，１６１Ｇ，１６１Ｂ〜１６ｍＲ，１６ｍＧ，１６ｍＢ、可変電流源１７１Ｒ，１７１Ｇ，１７１Ｂ〜１７ｍＲ，１７ｍＧ，１７ｍＢ及び可変電圧源１８１Ｒ，１８１Ｇ，１８１Ｂ〜１８ｍＲ，１８ｍＧ，１８ｍＢを有している。ドライブスイッチ１６１Ｒ〜１６ｍＲ各々は対応する陽極線に対して可変電流源１７１Ｒ，１７１Ｇ，１７１Ｂ〜１７ｍＲ，１７ｍＧ，１７ｍＢからの電流、可変電圧源１８１Ｒ，１８１Ｇ，１８１Ｂ〜１８ｍＲ，１８ｍＧ，１８ｍＢからの電位及びアース電位のいずれか１を供給する。可変電圧源１８１Ｒ〜１８ｍＲはオフセット電圧ＶＲを出力し、可変電圧源１８１Ｇ〜１８ｍＧはオフセット電圧ＶＧを出力し、可変電圧源１８１Ｂ〜１８ｍＢはオフセット電圧ＶＢを出力する。可変電流源１７１Ｒ，１７１Ｇ，１７１Ｂ〜１７ｍＲ，１７ｍＧ，１７ｍＢ各々の電流値及び可変電圧源１８１Ｒ，１８１Ｇ，１８１Ｂ〜１８ｍＲ，１８ｍＧ，１８ｍＢ各々の電圧値は発光制御回路１２によって制御される。
【００２９】
発光制御回路１２は、画像データが示す画素カラー情報に従って走査線に接続されているＥＬ素子のどれをどのタイミングでどの程度の時間に亘って発光させるかについてを示すドライブ制御信号（駆動パルス）を発生し、陽極線ドライブ回路１４に供給する。陽極線ドライブ回路１４は、このドライブ制御信号に応じて、ドライブスイッチ１６１Ｒ，１６１Ｇ，１６１Ｂ〜１６ｍＲ，１６ｍＧ，１６ｍＢのうちの発光対応するものを電流源側に切り換え制御し、陽極線Ａ１Ｒ，Ａ１Ｇ，Ａ１Ｂ〜ＡｍＲ，ＡｍＧ，ＡｍＢのうちの対応する陽極線（現駆動ドライブ線）を通じて画素情報に応じた該当素子への駆動電流ＩＲ，ＩＧ，ＩＢの供給をなし、それ以外の陽極線に対してはドライブスイッチを介したアース電位の供給をなす。
【００３０】
発光制御回路１２にはデータ入力部１９及びメモリ２０が接続されている。データ入力部１９は発光表示パネル１１の赤色、緑色及び青色の輝度を調整するために操作可能にされており、赤色、緑色及び青色各々に対応した調整レバー（図示せず）のユーザによる操作位置に応じた色合い情報、すなわち、赤色、緑色及び青色各々の輝度データを発光制御回路１２に出力する。メモリ２０には後述するデータテーブル等の制御データが予め書き込まれている。
【００３１】
発光制御回路１２による発光表示パネル１１の発光制御動作を図９のフローチャートに基づいて説明する。
発光制御回路１２は、供給される画素データの１水平走査期間毎に発光制御ルーチンを実行する。発光制御ルーチンにおいては、先ず、１水平走査期間分の画素データを取り込み（ステップＳ１）、取り込んだ１水平走査期間分の画素データが示す画素情報に応じて走査選択制御信号及びドライブ制御信号を発生する（ステップＳ２）。
【００３２】
走査選択制御信号は陰極線走査回路１３に供給される。陰極線走査回路１３は走査選択制御信号が示す今回の水平走査期間に対応する陰極線Ｂ１  〜Ｂｎのうちの１の陰極線をアース電位に設定するためにその１の陰極線に対応する走査スイッチ（１５１  〜１５ｎのうちの１の走査スイッチ１５Ｓ、なお、Ｓは１〜ｎのうちの１）をアース側に切り換える。その他の陰極線には逆バイアス電位として正電位Ｖｃｃを印加するために走査スイッチ（１５１  〜１５ｎのうちの１の走査スイッチ１５ｉ以外の全て）をアース側に切り換える。
【００３３】
ドライブ制御信号は陽極線ドライブ回路１４に供給される。陽極線ドライブ回路１４はドライブ制御信号が示す今回の水平走査期間内で陽極線Ａ１Ｒ，Ａ１Ｇ，Ａ１Ｂ〜ＡｍＲ，ＡｍＧ，ＡｍＢのうちの発光駆動すべき画素の素子を含む陽極線に対応するドライブスイッチ（１６１Ｒ，１６１Ｇ，１６１Ｂ〜１６ｍＲ，１６ｍＧ，１６ｍＢのうちのいずれかのドライブスイッチ）を電流源（１７１Ｒ，１７１Ｇ，１７１Ｂ〜１７ｍＲ，１７ｍＧ，１７ｍＢのうちの対応するもの）側に切り換える。その他の陽極線はアース側に切り換えられる。これにより、例えば、ドライブスイッチ１６１Ｒ，１６１Ｇ，１６１Ｂが電流源１７１Ｒ，１７１Ｇ，１７１Ｂ側に切り換えられた場合には電流源１７１Ｒからドライブスイッチ１６１Ｒ、陽極線Ａ１Ｒ、素子Ｅ１Ｒ，Ｓ、陰極線ＢＳ、走査スイッチ１５Ｓ、そしてアースへと駆動電流ＩＲが流れ、電流源１７１Ｇからドライブスイッチ１６１Ｇ、陽極線Ａ１Ｇ、素子Ｅ１Ｇ，Ｓ、陰極線ＢＳ、走査スイッチ１５Ｓ、そしてアースへと駆動電流ＩＧが流れ、電流源１７１Ｂからドライブスイッチ１６１Ｂ、陽極線Ａ１Ｂ、素子Ｅ１Ｂ，Ｓ、陰極線ＢＳ、走査スイッチ１５Ｓ、そしてアースへと駆動電流ＩＢが流れる。駆動電流ＩＲ，ＩＧ，ＩＢの供給されたＥＬ素子Ｅ１Ｒ，Ｓ，Ｅ１Ｇ，Ｓ，Ｅ１Ｂ，Ｓは、当該画素情報に応じた発光をなすこととなる。ＥＬ素子Ｅ１Ｒ，Ｓ，Ｅ１Ｇ，Ｓ，Ｅ１Ｂ，Ｓ各々の発光時間が画素カラー情報に応じて個別に設定されることによりＥＬ素子Ｅ１Ｒ，Ｓ，Ｅ１Ｇ，Ｓ，Ｅ１Ｂ，Ｓからなる画素が所望の色で表示される。
【００３４】
発光制御回路１２は、ステップＳ２の実行後、所定の時間が経過したか否かを判別する（ステップＳ３）。所定の時間は予め定められた水平走査期間に対応して設定されている。所定の時間が経過した場合には発光制御回路１２はリセット信号を生成する（ステップＳ４）。リセット信号は陰極線走査回路１３及び陽極線ドライブ回路１４に供給される。陰極線走査回路１３はリセット信号に応じて全ての走査スイッチ１５１  〜１５ｎの可動接点をアース側固定接点に切り換える。リセット信号は次の走査期間に発光駆動されるべきＥＬ素子に対応する陽極線（次期駆動ドライブ線）の指定を示す。陽極線ドライブ回路１４はリセット信号に応じて次の走査期間に発光駆動されるべきＥＬ素子に対応する陽極線に接続されたドライブスイッチの可動接点をオフセット電圧側固定接点に切り換える。これにより次の走査期間に発光駆動されるべきＥＬ素子にはオフセット電圧が印加される。すなわち、次の走査期間に発光駆動されるべき赤色発光用のＥＬ素子にはオフセット電圧ＶＲが印加され、緑色発光用のＥＬ素子にはオフセット電圧ＶＧが印加され、青色発光用のＥＬ素子にはオフセット電圧ＶＢが印加される。これにより、次の走査期間に発光駆動されるべきＥＬ素子各々の容量成分は充電されることになる。
【００３５】
発光制御回路１２はステップＳ４の実行を終了すると、発光制御ルーチンを終了し、次の水平走査期間が開始されるまで待機することになる。この次の水平走査期間が開始されるまで間においてもステップＳ４によるリセット動作が継続される。次の水平走査期間が開始されると、上記のステップＳ１〜Ｓ４の動作が繰り返される。
【００３６】
次に、発光制御回路１２による色合い調整動作を図１０のフローチャートに基づいて説明する。
発光制御回路１２は、データ入力部１９の調整レバーをユーザが操作したときにそのときの赤色、緑色及び青色各々の輝度データに応じて色合い調整ルーチンを実行する。色合い調整ルーチンにおいては、先ず、データ入力部１９から出力された赤色、緑色及び青色各々の輝度データを読み取り（ステップＳ１１）、赤色、緑色及び青色各々の輝度データに対応する赤色、緑色及び青色各々のＥＬ素子の発光時の両端電圧ＶｅＲ，ＶｅＧ，ＶｅＢを設定する（ステップＳ１２）。発光制御回路１２は例えば、赤色、緑色及び青色毎に図２に示した如きＥＬ素子の電圧Ｖ−電流Ｉ−輝度Ｌの特性がデータテーブルとしてメモリ２０に記憶されているので、そのデータテーブルを用いて赤色、緑色及び青色各々の輝度データに対応する赤色、緑色及び青色各々のＥＬ素子の発光時の両端電圧ＶｅＲ，ＶｅＧ，ＶｅＢを定めることができる。なお、輝度データは３２階調で示されている。
【００３７】
発光制御回路１２はステップＳ１２の実行後、発光時の両端電圧ＶｅＲ，ＶｅＧ，ＶｅＢに応じた駆動電流ＩＲ，ＩＧ，ＩＢを設定し（ステップＳ１３）、更に、両端電圧ＶｅＲ，ＶｅＧ，ＶｅＢに応じたオフセット電圧ＶＲ，ＶＧ，ＶＢを設定する（ステップＳ１４）。駆動電流ＩＲ，ＩＧ，ＩＢについては上記した赤色、緑色及び青色発光用毎のＥＬ素子の電圧Ｖ−電流Ｉ−輝度Ｌ特性のデータテーブルを用いて赤色、緑色及び青色各々の輝度データに対応した電流を設定することができる。オフセット電圧ＶＲはＶＲ＝ＶｅＲ−Ｖｃｃと、オフセット電圧ＶＧはＶＧ＝ＶｅＧ−Ｖｃｃと、オフセット電圧ＶＢはＶＢ＝ＶｅＢ−Ｖｃｃと各々算出設定される。なお、赤色、緑色及び青色発光用毎のＥＬ素子では発光閾値電圧ＶｔｈＲ，ＶｔｈＧ，ＶｔｈＢの如きであるとすると、クロストーク発光を防止するためにＶＲ＜ＶｔｈＲ，ＶＧ＜ＶｔｈＧ，ＶＢ＜ＶｔｈＢである。
【００３８】
発光制御回路１２は設定した駆動電流ＩＲ，ＩＧ，ＩＢになるように可変電流源１７１Ｒ，１７１Ｇ，１７１Ｂ〜１７ｍＲ，１７ｍＧ，１７ｍＢを制御し（ステップＳ１５）、また可変電圧源１８１Ｒ，１８１Ｇ，１８１Ｂ〜１８ｍＲ，１８ｍＧ，１８ｍＢの出力電圧を設定したオフセット電圧ＶＲ，ＶＧ，ＶＢになるように制御する（ステップＳ１６）。すなわち、可変電流源１７１Ｒ〜１７ｍＲによる供給電流がステップＳ１３で設定された駆動電流ＩＲに等しくされ、可変電流源１７１Ｇ〜１７ｍＧによる供給電流がステップＳ１３で設定された駆動電流ＩＧに等しくされ、可変電流源１７１Ｂ〜１７ｍＢによる供給電流がステップＳ１３で設定された駆動電流ＩＢに等しくされる。可変電圧源１８１Ｒ〜１８ｍＲの出力電圧がステップＳ１４で設定されたオフセット電圧ＶＲに等しくされ、可変電圧源１８１Ｇ〜１８ｍＧの出力電圧がステップＳ１４で設定されたオフセット電圧ＶＧに等しくされ、可変電圧源１８１Ｂ〜１８ｍＢの出力電圧がステップＳ１４で設定されたオフセット電圧ＶＢに等しくされる。
【００３９】
なお、図２に示した如きＥＬ素子の電圧Ｖ−電流Ｉ−輝度Ｌの特性は赤色、緑色及び青色発光用のＥＬ素子毎に互いに若干異なるので、上記のデータテーブルは赤色、緑色及び青色毎に輝度データに対応するＥＬ素子の両端電圧、駆動電流及びオフセット電圧のデータが定められている。
次に、かかる発光制御回路１２の発光制御動作によって陰極線Ｂ１  を走査して１画素分のＥＬ素子Ｅ１Ｒ，１，Ｅ１Ｇ，１，Ｅ１Ｂ，１を光らせた後、陰極線Ｂ２  に走査を移して１画素分のＥＬ素子Ｅ２Ｒ，２，Ｅ２Ｇ，２，Ｅ２Ｂ，２を光らせる場合について図１１〜図１３を参照しつつ説明する。また、図１１〜図１３においては図３及び図５の場合と同様に説明を分かり易くするために、発光している素子は発光ダイオード記号にて示され、非発光の発光素子はコンデンサ記号にて示される。
【００４０】
先ず、図１１は、走査スイッチ１５１のみが０（Ｖ）のアース電位側に切り換えられ、陰極線Ｂ１  が走査選択されている走査期間において、発光すべき素子Ｅ１Ｒ，１，Ｅ１Ｇ，１，Ｅ１Ｂ，１が定常発光状態で発光する動作状態を示している。他の陰極線Ｂ２  〜Ｂｎ  には、走査スイッチ１５２  〜１５ｎ  により正電位Ｖｃｃが印加されている。同時に、陽極線Ａ１Ｒ，Ａ１Ｇ，Ａ１Ｂには、ドライブスイッチ１６１Ｒ，１６１Ｇ，１６１Ｂによって可変電流源１７１Ｒ，１７１Ｇ，１７１Ｂが接続されている。また、他の陽極線Ａ２Ｒ，Ａ２Ｇ，Ａ２Ｂ  〜ＡｍＲ，ＡｍＧ，ＡｍＢには、ドライブスイッチ１６２Ｒ，１６２Ｇ，１６２Ｂ  〜１６ｍＲ，１６ｍＧ，１６ｍＢによって０（Ｖ）のアース電位側に切り換えらている。よって、図１１の場合、ＥＬ素子Ｅ１Ｒ，１，Ｅ１Ｇ，１，Ｅ１Ｂ，１のみが順方向に電圧が印加され、可変電流源１７１Ｒ，１７１Ｇ，１７１Ｂから矢印のように駆動電流ＩＲ，ＩＧ，ＩＢが流れ込み、ＥＬ素子Ｅ１Ｒ，１，Ｅ１Ｇ，１，Ｅ１Ｂ，１のみが発光することとなる。
【００４１】
この状態においては、ハッチングして示される非発光のＥＬ素子Ｅ２Ｒ，２，Ｅ２Ｇ，２，Ｅ２Ｂ，２〜ＥｍＲ，ｎ，ＥｍＧ，ｎ，ＥｍＢ，ｎ各々の両端子間には電圧Ｖｃｃが印加され、それらの容量成分は図示の如き順方向とは逆極性にて充電されることとなる。また、非発光のＥＬ素子Ｅ１Ｒ，２，Ｅ１Ｇ，２，Ｅ１Ｂ，２〜Ｅ１Ｒ，ｎ，Ｅ１Ｇ，ｎ，Ｅ１Ｂ，ｎのうちのＥＬ素子Ｅ１Ｒ，２〜Ｅ１Ｒ，ｎが接続される陽極線Ａ１Ｒの電位はＶｅＲであり、ＥＬ素子Ｅ１Ｒ，２〜Ｅ１Ｒ，ｎの陰極Ｂ２〜Ｂｎには電位Ｖｃｃが印加される。従って、ＥＬ素子Ｅ１Ｒ，２〜Ｅ１Ｒ，ｎには順方向に電圧ＶｅＲ−Ｖｃｃが印加され、その容量成分が充電されることとなる。ＥＬ素子Ｅ１Ｇ，２〜Ｅ１Ｇ，ｎが接続される陽極線Ａ１Ｇの電位はＶｅＧであり、ＥＬ素子Ｅ１Ｇ，２〜Ｅ１Ｇ，ｎの陰極Ｂ２〜Ｂｎには電位Ｖｃｃが印加される。従って、ＥＬ素子Ｅ１Ｇ，２〜Ｅ１Ｇ，ｎには電圧ＶｅＧ−Ｖｃｃ＝０が印加され、その容量成分は充電されない。ＥＬ素子Ｅ１Ｂ，２〜Ｅ１Ｂ，ｎが接続される陽極線Ａ１Ｂの電位はＶｅＢであり、ＥＬ素子Ｅ１Ｂ，２〜Ｅ１Ｂ，ｎの陰極Ｂ２〜Ｂｎには電位Ｖｃｃが印加される。従って、ＥＬ素子Ｅ１Ｂ，２〜Ｅ１Ｂ，ｎには逆方向に電圧Ｖｃｃ−ＶｅＢが印加され、その容量成分が充電されることとなる。
【００４２】
この図１１の発光状態から、次のＥＬ素子Ｅ２Ｒ，２，Ｅ２Ｇ，２，Ｅ２Ｂ，２の発光をなす状態に走査を移行する直前に、上記したステップＳ４によるリセット制御が行われるリセット期間となる。すなわち、図１２に示すようにＥＬ素子Ｅ２Ｒ，２，Ｅ２Ｇ，２，Ｅ２Ｂ，２に対応するドライブスイッチ１６２Ｒ，１６２Ｇ，１６２Ｂ以外のドライブスイッチ１６１Ｒ，１６１Ｇ，１６１Ｂ及び１６３Ｒ，１６３Ｇ，１６３Ｂ〜１６ｍＲ，１６ｍＧ，１６ｍＢがアース電位側に切り換えられると共に、全ての走査スイッチ１５１  〜１５ｎ  がアース電位側に切り換え、陽極線Ａ１Ｒ，Ａ１Ｇ，Ａ１Ｂ及びＡ３Ｒ，Ａ３Ｇ，Ａ３Ｂ〜ＡｍＲ，ＡｍＧ，ＡｍＢと陰極線Ｂ１  〜Ｂｎ  とが一旦０（Ｖ）のアース電位側に等しくされる。これにより、ＥＬ素子Ｅ１Ｒ，１〜Ｅ１Ｒ，ｎ、Ｅ１Ｇ，１〜Ｅ１Ｇ，ｎ、Ｅ１Ｂ，１〜Ｅ１Ｂ，ｎ及びＥ３Ｒ，１，Ｅ３Ｇ，１，Ｅ３Ｂ，１〜ＥｍＲ，ｎ，ＥｍＧ，ｎ，ＥｍＢ，ｎのリセットが掛けられ、それらＥＬ素子の陽極と陰極との間が０（Ｖ）の同電位となるので、それら各ＥＬ素子に充電されていた電荷は放電し、それら全てのＥＬ素子の充電電荷が瞬時のうちに放電されて無くなる。ＥＬ素子Ｅ１Ｇ，２〜Ｅ１Ｇ，ｎについても陽極と陰極との間が０（Ｖ）の同電位となるが、ＥＬ素子Ｅ１Ｒ，１，Ｅ１Ｇ，１，Ｅ１Ｂ，１の発光時にはそれらは充電されておらず、蓄電電荷がないので、放電されることはない。
【００４３】
リセット制御によってドライブスイッチ１６２Ｒ，１６２Ｇ，１６２Ｂは可変電流源１８２Ｒ，１８２Ｇ，１８２Ｂ側に切り換えられる。よって、可変電流源１８２Ｒの正電位ＶＲがドライブスイッチ１６２Ｒ、そして陽極線Ａ２Ｒを介して赤色発光用のＥＬ素子Ｅ２Ｒ，１〜Ｅ２Ｒ，ｎの陽極各々に印加され、可変電流源１８２Ｇの正電位ＶＧがドライブスイッチ１６２Ｇ、そして陽極線Ａ２Ｇを介して緑色発光用のＥＬ素子Ｅ２Ｇ，１〜Ｅ２Ｇ，ｎ各々の陽極に印加され、可変電流源１８２Ｂの正電位ＶＢがドライブスイッチ１６２Ｂ、そして陽極線Ａ２Ｂを介して青色発光用のＥＬ素子Ｅ２Ｂ，１〜Ｅ２Ｂ，ｎの陽極に印加される。ＥＬ素子Ｅ２Ｒ，１，Ｅ２Ｇ，１，Ｅ２Ｂ，１〜Ｅ２Ｒ，ｎ，Ｅ２Ｇ，ｎ，Ｅ２Ｂ，ｎ各々の陰極は対応する走査スイッチ１５１〜１５ｎを介してアース電位にされているので、赤色発光用のＥＬ素子Ｅ２Ｒ，１〜Ｅ２Ｒ，ｎの陽極と陰極との間にはオフセット電圧ＶＲが印加され、緑色発光用のＥＬ素子Ｅ２Ｇ，１〜Ｅ２Ｇ，ｎの陽極と陰極との間にはオフセット電圧ＶＧが印加され、青色発光用のＥＬ素子Ｅ２Ｂ，１〜Ｅ２Ｂ，ｎの陽極と陰極との間にはオフセット電圧ＶＢが印加される。ここで、オフセット電圧ＶＲ，ＶＧ，ＶＢの初期値ではＶＲ＞０（Ｖ），ＶＧ＝０（Ｖ），ＶＢ＜０（Ｖ）ならば、図１１に示したように、赤色発光用のＥＬ素子Ｅ２Ｒ，１〜Ｅ２Ｒ，ｎの容量成分は順方向の極性にて充電され、緑色発光用のＥＬ素子Ｅ２Ｇ，１〜Ｅ２Ｇ，ｎの容量成分は充電されず、青色発光用のＥＬ素子Ｅ２Ｂ，１〜Ｅ２Ｂ，ｎの容量成分は順方向とは逆極性にて充電される。
【００４４】
このようにして全てのＥＬ素子Ｅ１Ｒ，１，Ｅ１Ｇ，１，Ｅ１Ｂ，１〜Ｅ１Ｒ，ｎ，Ｅ１Ｇ，ｎ，Ｅ１Ｂ，ｎ及びＥ３Ｒ，１，Ｅ３Ｇ，１，Ｅ３Ｂ，１〜ＥｍＲ，ｎ，ＥｍＧ，ｎ，ＥｍＢ，ｎの蓄電電荷をゼロにし、ＥＬ素子Ｅ２Ｒ，１，Ｅ２Ｇ，１，Ｅ２Ｂ，１〜Ｅ２Ｒ，ｎ，Ｅ２Ｇ，ｎ，Ｅ２Ｂ，ｎ各々の両端電圧をオフセット電圧ＶＲ，ＶＧ，ＶＢに等しくさせた後、今度は次の走査期間となり図１３に示すように、陰極線Ｂ２  に対応する走査スイッチ１５２のみがアース電位側に切り換えられ、陰極線Ｂ２  の走査選択が行われる。これと同時に、ドライブスイッチ１６２Ｒ，１６２Ｇ，１６２Ｂが可変電流源側に切り換えられ、可変電流源１７２Ｒ，１７２Ｇ，１７２Ｂを対応の陽極線Ａ２Ｒ，Ａ２Ｇ，Ａ２Ｂに接続せしめる。
【００４５】
このように走査スイッチ及びドライブスイッチが切換えられた瞬間、すなわち、走査スイッチ及びドライブスイッチが  図１３に示されるように切換えられ、各ＥＬ素子の寄生容量の充電状態は図１２の状態のままである瞬間においては、陽極線Ａ２Ｒの電位は約Ｖｃｃ＋ＶＲ（正確には、（ｎ−１）・（Ｖｃｃ＋ＶＲ）／ｎである。）となるので、発光されるＥＬ素子Ｅ２Ｒ，２の両端電圧は瞬時に約Ｖｃｃ＋ＶＲになろうとする。よって、ＥＬ素子Ｅ２Ｒ，２には、可変電流源１７２Ｒ→ドライブスイッチ  １６２Ｒ→陽極線Ａ２Ｒ→ＥＬ素子Ｅ２Ｒ，２→走査スイッチ１５２のルートのほかにも、走査スイッチ１５１→陰極線Ｂ１→ＥＬ素子Ｅ２Ｒ，１→陽極線Ａ２Ｒ→ＥＬ素子Ｅ２Ｒ，２→走査スイッチ１５２のルート、走査スイッチ１５３→陰極線Ｂ３→ＥＬ素子Ｅ２Ｒ，３→陽極線Ａ２Ｒ→ＥＬ素子Ｅ２Ｒ，２→走査スイッチ１５２のルート、……、走査スイッチ１５ｎ→陰極線Ｂｎ→ＥＬ素子Ｅ２Ｒ，ｎ→陽極線Ａ２Ｒ→ＥＬ素子Ｅ２Ｒ，２→走査スイッチ１５２のルート、の複数のルートからの充電電流が流れ込み、瞬時に急速充電される。この結果、ＥＬ素子Ｅ２Ｒ，２は、瞬時に定常発光状態となる。その後、Ｂ２の走査期間の間は、可変電流源１７２Ｒ→ドライブスイッチ１６２Ｒ→陽極線Ａ２Ｒ→ＥＬ素子Ｅ２Ｒ，２→走査スイッチ１５２のルートから流れ込む駆動電流によって、定常発光状態を持続する。
【００４６】
同様に、ＥＬ素子Ｅ２Ｇ，２は、走査スイッチ及びドライブスイッチが切換えられた瞬間においてその両端電圧が約Ｖｃｃ（正確には、（ｎ−１）・Ｖｃｃ／ｎである。）になろうとするので、ＥＬ素子Ｅ２Ｇ，２には、可変電流源１７２Ｇ→ドライブスイッチ１６２Ｇ→陽極線Ａ２Ｇ→ＥＬ素子Ｅ２Ｇ，２→走査スイッチ１５２のルートのほかにも、走査スイッチ１５１→陰極線Ｂ１→ＥＬ素子Ｅ２Ｇ，１→陽極線Ａ２Ｇ→ＥＬ素子Ｅ２Ｇ，２→走査スイッチ１５２のルート、走査スイッチ１５３→陰極線Ｂ３→ＥＬ素子Ｅ２Ｇ，３→陽極線Ａ２Ｇ→ＥＬ素子Ｅ２Ｇ，２→走査スイッチ１５２のルート、……、走査スイッチ１５ｎ→陰極線Ｂｎ→ＥＬ素子Ｅ２Ｇ，ｎ→陽極線Ａ２Ｇ→ＥＬ素子Ｅ２Ｇ，２→走査スイッチ１５２のルート、の複数のルートからの充電電流が流れ込み、瞬時に定常発光状態となる。その後Ｂ２の走査期間の間は、可変電流源１７２Ｇ→ドライブスイッチ１６２Ｇ→陽極線Ａ２Ｇ→ＥＬ素子Ｅ２Ｇ，２→走査スイッチ１５２のルートから流れ込む駆動電流によって、定常発光状態を持続する。
【００４７】
また同様に、ＥＬ素子Ｅ２Ｂ，２は、走査スイッチ及びドライブスイッチが切換えられた瞬間においてその両端電圧が約Ｖｃｃ＋ＶＢ（正確には、（ｎ−１）・（Ｖｃｃ＋ＶＢ）／ｎである。）になろうとするので、ＥＬ素子Ｅ２Ｂ，２には、可変電流源１７２Ｂ→ドライブスイッチ１６２Ｂ→陽極線Ａ２Ｂ→ＥＬ素子Ｅ２Ｂ，２→走査スイッチ１５２のルートのほかにも、走査スイッチ１５１→陰極線Ｂ１→ＥＬ素子Ｅ２Ｂ，１→陽極線Ａ２Ｂ→ＥＬ素子Ｅ２Ｂ，２→走査スイッチ１５２のルート、走査スイッチ１５３→陰極線Ｂ３→ＥＬ素子Ｅ２Ｂ，３→陽極線Ａ２Ｂ→ＥＬ素子Ｅ２Ｂ，２→走査スイッチ１５２のルート、……、走査スイッチ１５ｎ→陰極線Ｂｎ→ＥＬ素子Ｅ２Ｂ，ｎ→陽極線Ａ２Ｂ→ＥＬ素子Ｅ２Ｂ，２→走査スイッチ１５２のルート、の複数のルートからの充電電流が流れ込み、瞬時に定常発光となる。その後Ｂ２の走査期間の間は、可変電流源１７２Ｂ→ドライブスイッチ１６２Ｂ→陽極線Ａ２Ｂ→ＥＬ素子Ｅ２Ｂ，２→走査スイッチ１５２のルートから流れ込む駆動電流によって、定常発光状態を持続する。
【００４８】
このように、発光する各ＥＬ素子Ｅ２Ｒ，２、Ｅ２Ｇ，２、Ｅ２Ｂ，２は、走査の切換とほぼ同時に発光規定電圧ＶｅＲ、ＶｅＧ、ＶｅＢに到達し定常発光状態となるので、各ＥＬ素子Ｅ２Ｒ，２、Ｅ２Ｇ，２、Ｅ２Ｂ，２からなる画素は色ずれのない所望の色が表示されることになる。
図１４（ａ）は、逆バイアス電位Ｖｃｃ＝２０（Ｖ），オフセット電圧ＶＲ＝２（Ｖ），ＶＧ＝０（Ｖ），ＶＢ＝−２（Ｖ）と設定されている場合の３原色各々の発光の際のＥＬ素子の両端電圧の矩形状の変化を示している。この場合に、現在の発光時の両端電圧ＶｅＲ＝２２（Ｖ），ＶｅＧ＝２０（Ｖ），ＶｅＢ＝１８（Ｖ）である。このような発光を行う状態でユーザがデータ入力部１９を操作して、緑色の輝度を＋１、青色の輝度を＋２だけ各々上げるようにしたとする。この操作によりオフセット電圧ＶＲ＝２（Ｖ）はそのままであるが、オフセット電圧ＶＧ＝１（Ｖ），ＶＢ＝０（Ｖ）となるので、３色各々の発光の際のＥＬ素子の両端電圧の変化は図１４（ｂ）に示すようになり、逆バイアス電位Ｖｃｃは２０（Ｖ）で固定であるので、発光時の両端電圧はＶｅＲ＝２２（Ｖ），ＶｅＧ＝２１（Ｖ），ＶｅＢ＝２０（Ｖ）となる。
【００４９】
図１５は、本発明の他の実施例としてディスプレイ装置を部分的に示している。このディスプレイ装置は、容量性発光表示パネル１１と、発光制御回路１２と、陰極線走査回路１３と、陽極線ドライブ回路１４とを有する。なお、図１５には図示していないが、図７に示したように発光制御回路１２にはデータ入力部１９及びメモリ２０が接続されている。陰極線走査回路１３は走査スイッチ１５１〜１５ｎの他に可変電圧源２１１〜２１ｎを有している。可変電圧源２１１〜２１ｎは上記した逆バイアス電位Ｖｃｃを得るために電圧を発生するものであり、発光制御回路１２によってその発生電圧Ｖｃｃのレベルは制御される。可変電圧源２１１〜２１ｎの正側端子が走査スイッチ１５１〜１５ｎの一方の固定接点に接続され、負側端子はアース接続されている。その他の構成は図７及び図８に示したものと同様である。
【００５０】
図１５に示した発光制御回路１２による発光表示パネル１１の発光制御動作は図９のフローチャートに示したものと同一である。
発光制御回路１２は、データ入力部１９をユーザが操作したときにそのときの赤色、緑色及び青色各々の輝度データに応じて色合い調整ルーチンを実行する。この色合い調整ルーチンにおいては、図１６に示すように先ず、データ入力部１９から出力された赤色、緑色及び青色各々の輝度データを読み取り（ステップＳ２１）、赤色、緑色及び青色各々の輝度データに対応する駆動電流ＩＲ，ＩＧ，ＩＢをデータテーブル検索して設定し（ステップＳ２２）、更に、オフセット電圧ＶＲ，ＶＧ，ＶＢをデータテーブル検索して設定する（ステップＳ２３）。メモリ２０には赤色、緑色及び青色毎に輝度データに対応する駆動電流ＩＲ，ＩＧ，ＩＢ及びオフセット電圧ＶＲ，ＶＧ，ＶＢのデータテーブルが形成されているので、そのデータテーブルを用いて駆動電流ＩＲ，ＩＧ，ＩＢ及びオフセット電圧ＶＲ，ＶＧ，ＶＢが設定される。なお、図２に示した如きＥＬ素子の電圧Ｖ−電流Ｉ−輝度Ｌの特性は赤色、緑色及び青色発光用のＥＬ素子毎に互いに若干異なるので、ステップＳ２２及びＳ２３で用いてるデータテーブルは図１７に示すように赤色、緑色及び青色毎に輝度データ（３２段階の輝度）に対応する駆動電流のデータＩｒ０〜Ｉｒ３１，Ｉｇ０〜Ｉｇ３１，Ｉｂ０〜Ｉｂ３１及びオフセット電圧のデータＶｒ０〜Ｖｒ３１，Ｖｇ０〜Ｖｇ３１，Ｖｂ０〜Ｖｂ３１が定められている。
【００５１】
発光制御回路１２は、設定したオフセット電圧ＶＲ，ＶＧ，ＶＢに各々に対応する共有の逆バイアス電圧Ｖｃｃを１つだけ選択する（ステップＳ２４）。設定した駆動電流ＩＲ，ＩＧ，ＩＢになるように可変電流源１７１Ｒ，１７１Ｇ，１７１Ｂ〜１７ｍＲ，１７ｍＧ，１７ｍＢを制御し（ステップＳ２５）、また可変電圧源１８１Ｒ，１８１Ｇ，１８１Ｂ〜１８ｍＲ，１８ｍＧ，１８ｍＢの出力電圧を設定したオフセット電圧ＶＲ，ＶＧ，ＶＢになるように制御し（ステップＳ２６）、更に、可変電圧源２１１〜２１ｎの出力電圧を設定した逆バイアス電圧Ｖｃｃになるように制御する（ステップＳ２７）。
【００５２】
オフセット電圧ＶＲはＶＲ＝ＶｅＲ−Ｖｃｃ、オフセット電圧ＶＧはＶＧ＝ＶｅＧ−Ｖｃｃ、オフセット電圧ＶＢはＶＢ＝ＶｅＢ−Ｖｃｃであるので、逆バイアス電圧Ｖｃｃの現在値をＶ１とすると、それをＶ２に変更することにより両端電圧ＶｅＲ，ＶｅＧ，ＶｅＢを維持しつつオフセット電圧ＶＲ，ＶＧ，ＶＢを許容範囲ＶＬＬ〜ＶＨＬ内の電圧に変更するのである。例えば、Ｖ１＝２０（Ｖ）であり、ステップＳ２３のデータテーブル検索によりＶＲ＝５（Ｖ），ＶＧ＝１（Ｖ），ＶＢ＝０（Ｖ）と設定された場合には、オフセット電圧ＶＲは上記の−５（Ｖ）〜＋３（Ｖ）である許容範囲ＶＬＬ〜ＶＨＬ外の電圧である。このオフセット電圧ＶＲ＝５（Ｖ）を２（Ｖ）だけ低下させると、許容範囲−５（Ｖ）〜＋３（Ｖ）内となるので、ＶＲ＝５（Ｖ）−２（Ｖ）＝３（Ｖ），ＶＧ＝１（Ｖ）−２（Ｖ）＝−１（Ｖ），ＶＢ＝０（Ｖ）−２（Ｖ）＝−２（Ｖ）に設定し、ＶｅＲ＝２５（Ｖ），ＶｅＧ＝２１（Ｖ），ＶｅＢ＝２０（Ｖ）を維持するように逆バイアス電圧ＶｃｃをＶ２＝２０（Ｖ）＋２（Ｖ）＝２２（Ｖ）に設定する。
【００５３】
なお、ステップＳ２３及びＳ２４における各オフセット電圧ＶＲ，ＶＧ，ＶＢ及び逆バイアス電圧Ｖｃｃの設定は、次のようにすることもできる。オフセット電圧の許容範囲ＶＬＬ〜ＶＨＬが−５（Ｖ）〜＋３（Ｖ）であるならば、その中心電圧は（ＶＬＬ＋ＶＨＬ）／２＝−１（Ｖ）である。この中心電圧にオフセット電圧ＶＲ，ＶＧ，ＶＢの平均電圧が等しくなるようにするのである。すなわち、（ＶＲ＋ＶＧ＋ＶＢ）／３＝−１（Ｖ）を満足するようにオフセット電圧ＶＲ，ＶＧ，ＶＢを設定するのである。ステップＳ２３ではＶＲ＝５（Ｖ），ＶＧ＝１（Ｖ），ＶＢ＝０（Ｖ）と設定されたので、オフセット電圧ＶＲ，ＶＧ，ＶＢの現在の平均電圧は（ＶＲ＋ＶＧ＋ＶＢ）／３＝２（Ｖ）である。よって、発光制御回路１２は、平均電圧を−１（Ｖ）にするためにはオフセット電圧ＶＲ，ＶＧ，ＶＢを３（Ｖ）だけ下げてＶＲ＝５（Ｖ）−３（Ｖ）＝２（Ｖ），ＶＧ＝１（Ｖ）−３（Ｖ）＝−２（Ｖ），ＶＢ＝０（Ｖ）−３（Ｖ）＝−３（Ｖ）に設定し、ステップＳ２４では逆バイアス電圧ＶｃｃをＶ２＝２０（Ｖ）＋３（Ｖ）＝２３（Ｖ）に設定することができる。
【００５４】
図１６の色合い調整ルーチンにおいては、ステップＳ２２及びＳ２３にて駆動電流ＩＲ，ＩＧ，ＩＢ、オフセット電圧ＶＲ，ＶＧ，ＶＢをデータテーブル検索して設定しているが、ステップＳ２４でも逆バイアス電圧Ｖｃｃもデータテーブル検索して設定しても良い。この場合に、駆動電流ＩＲ，ＩＧ，ＩＢに応じて両端電圧ＶｅＲ，ＶｅＧ，ＶｅＢは定まり、オフセット電圧ＶＲ，ＶＧ，ＶＢと逆バイアス電圧Ｖｃｃとの合計電圧は電圧ＶｅＲ，ＶｅＧ，ＶｅＢに等しくされる。ＶｅＲ＝２５（Ｖ），ＶｅＧ＝２１（Ｖ），ＶｅＢ＝２０（Ｖ）の場合の赤色、緑色及び青色各々についてのオフセット電圧ＶＲ，ＶＧ，ＶＢと逆バイアス電圧Ｖｃｃとの関係は図１８（ａ）〜（ｃ）に示すように通りである。各オフセット電圧ＶＲ，ＶＧ，ＶＢが取り得る電圧は−５（Ｖ）〜＋３（Ｖ）の範囲としている。このオフセット電圧の許容範囲においてバイアス電圧Ｖｃｃは赤色、緑色及び青色で共通電圧となるためには、赤色、緑色及び青色各々では２５（Ｖ）〜２２（Ｖ）のうちのいずれかであれば良いことになる。よって、その２５（Ｖ）〜２２（Ｖ）のうちから共通のバイアス電圧Ｖｃｃが設定されると、各オフセット電圧ＶＲ，ＶＧ，ＶＢが設定されることになる。
【００５５】
例えば、データ入力部１９をユーザが操作して赤色の輝度を極端に低下させる輝度データがステップＳ２１で得られた場合に、その輝度データに従ってオフセット電圧ＶＲと逆バイアス電圧Ｖｃｃとの関係が図１８（ａ）から図１９に示すようになったとする。緑色及び青色についてのオフセット電圧ＶＧ，ＶＢと逆バイアス電圧Ｖｃｃとの関係は図１８（ｂ），（ｃ）のままであると、赤色、緑色及び青色で共通のバイアス電圧Ｖｃｃを得ることができなくなる。この場合には、輝度が高い緑色を優先して図１８（ｂ）の関係を用いてバイアス電圧Ｖｃｃが設定される。図１８（ｂ）の関係の中で最も低いバイアス電圧Ｖｃｃ＝１８（Ｖ）が選択され、オフセット電圧はＶＲ＝−５（Ｖ），ＶＧ＝３（Ｖ），ＶＢ＝２（Ｖ）と設定される。
【００５６】
上記した実施例においては、データテーブルを用いて駆動電流ＩＲ，ＩＧ，ＩＢ、オフセット電圧ＶＲ，ＶＧ，ＶＢを検索して設定しているが、オフセット電圧ＶＲ，ＶＧ，ＶＢは算出しても良い。次に、オフセット電圧ＶＲ，ＶＧ，ＶＢは算出して求める場合の動作を説明する。
発光制御回路１２は初期設定のために初期設定ルーチンを処理する。初期設定ルーチンにおいては、図２０に示すように、走査期間内の全てに亘って駆動電流を供給する指令を発生し（ステップＳ３１）、その指令に応じて発光表示パネル１１の表示色が白色となるようにデータ入力部１９の調整をユーザに行わせ、そのときのデータ入力部１９から赤色、緑色及び青色毎の輝度データを読み取り（ステップＳ３２）、その読み取り輝度データに応じて駆動電流ＩＲ，ＩＧ，ＩＢを求め（ステップＳ３３）、駆動電流ＩＲ，ＩＧ，ＩＢに対応する赤色、緑色及び青色発光用のＥＬ素子の両端電圧ＶｅＲ，ＶｅＧ，ＶｅＢを設定する（ステップＳ３４）。メモリ２０には輝度データに対応する駆動電流ＩＲ，ＩＧ，ＩＢ及び両端電圧ＶｅＲ，ＶｅＧ，ＶｅＢのデータテーブルが赤色、緑色及び青色毎に形成されているので、そのデータテーブルを用いて駆動電流ＩＲ，ＩＧ，ＩＢ及び両端電圧ＶｅＲ，ＶｅＧ，ＶｅＢが設定される。
【００５７】
発光制御回路１２はステップＳ３４にて設定した両端電圧ＶｅＲ，ＶｅＧ，ＶｅＢに応じて逆バイアス電圧Ｖｃｃを設定する（ステップＳ３５）。このステップＳ３５では、両端電圧ＶｅＲ，ＶｅＧ，ＶｅＢの各電圧レベルを比較して２番目に高い電圧を逆バイアス電圧Ｖｃｃとして設定する。両端電圧ＶｅＲ，ＶｅＧ，ＶｅＢの大小関係が例えば、ＶｅＲ＞ＶｅＧ＞ＶｅＢであるならば、ＶｅＧの電圧レベルが逆バイアス電圧Ｖｃｃとして設定される。また、ステップＳ３５では、両端電圧ＶｅＲ，ＶｅＧ，ＶｅＢの各電圧レベルを比較して最も高い電圧と最も低い電圧との中間電圧を逆バイアス電圧Ｖｃｃとして設定しても良い。両端電圧ＶｅＲ，ＶｅＧ，ＶｅＢの大小関係が例えば、ＶｅＲ＞ＶｅＧ＞ＶｅＢであるならば、（ＶｅＲ＋ＶｅＢ）／２の電圧レベルが逆バイアス電圧Ｖｃｃとして設定される。
【００５８】
発光制御回路１２はステップＳ３５の実行後、オフセット電圧ＶＲ，ＶＧ，ＶＢを算出する（ステップＳ３６）。オフセット電圧ＶＲ，ＶＧ，ＶＢはＶＲ＝ＶｅＲ−Ｖｃｃ，ＶＧ＝ＶｅＧ−Ｖｃｃ，ＶＢ＝ＶｅＢ−Ｖｃｃの如く算出される。ステップＳ３５の前者の逆バイアス電圧Ｖｃｃの設定方法を用いた場合には両端電圧ＶｅＲ，ＶｅＧ，ＶｅＢのうちの最も高い両端電圧に対応するオフセット電圧は正となり、次に高い両端電圧に対応するオフセット電圧は０（Ｖ）となり、最も低い両端電圧に対応するオフセット電圧は負となる。
【００５９】
発光制御回路１２はステップＳ３６の実行後、駆動電流ＩＲ，ＩＧ，ＩＢ、逆バイアス電圧Ｖｃｃ及びオフセット電圧ＶＲ，ＶＧ，ＶＢをメモリ２０に書き込んで記憶させる（ステップＳ３７）。
かかる初期設定動作においては、ステップＳ３４にて両端電圧ＶｅＲ，ＶｅＧ，ＶｅＢが例えば、ＶｅＲ＝２２（Ｖ），ＶｅＧ＝２０（Ｖ），ＶｅＢ＝１８（Ｖ）と設定されたならば、ステップＳ３５では両端電圧ＶｅＲ，ＶｅＧ，ＶｅＢの各電圧レベルを比較して２番目に高い電圧ＶｅＧ＝２０（Ｖ）が逆バイアス電圧Ｖｃｃとして設定される。よって、ステップＳ３６ではオフセット電圧ＶＲ，ＶＧ，ＶＢがＶＲ＝２（Ｖ），ＶＧ＝０（Ｖ），ＶＢ＝−２（Ｖ）と設定される。
【００６０】
なお、オフセット電圧の許容範囲は赤色、緑色及び青色毎に個別に設定されている。例えば、赤色の許容範囲ＶＬＬＲ〜ＶＨＬＲは−５（Ｖ）〜３（Ｖ）、緑色の許容範囲ＶＬＬＧ〜ＶＨＬＧは−５（Ｖ）〜２（Ｖ）、青色の許容範囲ＶＬＬＢ〜ＶＨＬＢは−５（Ｖ）〜１（Ｖ）である。
発光制御回路１２は初期設定動作が終了すると、データ入力部１９をユーザが操作することにより明るさ調整ルーチン又は色合い調整ルーチンのいずれかを処理する。
【００６１】
発光制御回路１２はデータ入力部１９の明るさ調整レバー（図示せず）をユーザが操作したときにそのときの輝度データに応じて明るさ調整ルーチンを実行する。データ入力部１９の明るさ調整レバーは表示画面全体の輝度を調整するための操作子であり、これをユーザが操作することによりデータ入力部１９から出力される赤色、緑色及び青色各々の輝度データが同一輝度分だけ変化する。
【００６２】
明るさ調整ルーチンにおいて発光制御回路１２は、図２１に示すように先ず、色合いデータ入力部１９から出力された赤色、緑色及び青色各々の輝度データを読み取り（ステップＳ４１）、赤色、緑色及び青色各々の輝度データに対応する駆動電流ＩＲ，ＩＧ，ＩＢをデータテーブル検索して設定し（ステップＳ４２）、更に、駆動電流ＩＲ，ＩＧ，ＩＢに対応する赤色、緑色及び青色発光用のＥＬ素子の両端電圧ＶｅＲ，ＶｅＧ，ＶｅＢをデータテーブル検索して設定する（ステップＳ４３）。ステップＳ４２及びＳ４３の動作はステップＳ３３及びＳ３４と同一である。
【００６３】
発光制御回路１２は、メモリ２０に記憶された逆バイアス電圧Ｖｃｃを読み出し（ステップＳ４４）、ステップＳ４３の両端電圧ＶｅＲ，ＶｅＧ，ＶｅＢと読み出した逆バイアス電圧Ｖｃｃとを用いてオフセット電圧ＶＲ，ＶＧ，ＶＢを算出する（ステップＳ４５）。すなわち、オフセット電圧はＶＲ＝ＶｅＲ−Ｖｃｃ，ＶＧ＝ＶｅＧ−Ｖｃｃ，ＶＢ＝ＶｅＢ−Ｖｃｃのように算出される。
【００６４】
発光制御回路１２は、算出した各オフセット電圧ＶＲ，ＶＧ，ＶＢが所定の許容範囲内の電圧であるか否かを判別する（ステップＳ４６）。オフセット電圧はクロストーク発光しないように設定する必要があるので、赤色の許容範囲ＶＬＬＲ〜ＶＨＬＲ、緑色の許容範囲ＶＬＬＧ〜ＶＨＬＧ、青色の許容範囲ＶＬＬＢ〜ＶＨＬＢに各々制限されている。各オフセット電圧ＶＲ，ＶＧ，ＶＢが対応する所定の許容範囲ＶＬＬＲ〜ＶＨＬＲ，ＶＬＬＧ〜ＶＨＬＧ，ＶＬＬＢ〜ＶＨＬＢ内にあるならば、設定した駆動電流ＩＲ，ＩＧ，ＩＢになるように可変電流源１７１Ｒ，１７１Ｇ，１７１Ｂ〜１７ｍＲ，１７ｍＧ，１７ｍＢを制御し（ステップＳ４７）、また可変電圧源１８１Ｒ，１８１Ｇ，１８１Ｂ〜１８ｍＲ，１８ｍＧ，１８ｍＢの出力電圧を設定したオフセット電圧ＶＲ，ＶＧ，ＶＢになるように制御する（ステップＳ４８）。
【００６５】
ステップＳ４６において、オフセット電圧ＶＲ，ＶＧ，ＶＢのいずれかが対応する所定の許容範囲ＶＬＬＲ〜ＶＨＬＲ，ＶＬＬＧ〜ＶＨＬＧ，ＶＬＬＢ〜ＶＨＬＢ内にないならば、各オフセット電圧ＶＲ，ＶＧ，ＶＢが対応する所定の電圧範囲ＶＬＬＲ〜ＶＨＬＲ，ＶＬＬＧ〜ＶＨＬＧ，ＶＬＬＢ〜ＶＨＬＢ内の電圧になるように逆バイアス電圧Ｖｃｃ及び各オフセット電圧ＶＲ，ＶＧ，ＶＢを再設定する（ステップＳ４９）。このステップＳ４９による逆バイアス電圧Ｖｃｃの再設定は上記のステップＳ３５の場合と同様の方法で行われ、各オフセット電圧ＶＲ，ＶＧ，ＶＢの再設定はステップＳ３６の場合と同様の方法で行われる。
【００６６】
発光制御回路１２はステップＳ４９の実行後、可変電圧源２１１〜２１ｎの出力電圧を設定した逆バイアス電圧Ｖｃｃになるように制御し（ステップＳ５０）、ステップＳ４７に進んで設定した駆動電流ＩＲ，ＩＧ，ＩＢになるように可変電流源１７１Ｒ，１７１Ｇ，１７１Ｂ〜１７ｍＲ，１７ｍＧ，１７ｍＢを制御し、その後、ステップＳ４８に進んで可変電圧源１８１Ｒ，１８１Ｇ，１８１Ｂ〜１８ｍＲ，１８ｍＧ，１８ｍＢの出力電圧を設定したオフセット電圧ＶＲ，ＶＧ，ＶＢになるように制御する。
【００６７】
ステップＳ４８の実行後は、設定した逆バイアス電圧Ｖｃｃ、オフセット電圧ＶＲ，ＶＧ，ＶＢ及び駆動電流ＩＲ，ＩＧ，ＩＢをメモリ２０に記憶させる（ステップＳ５１）。
データ入力部１９の明るさ調整レバーの操作によってステップＳ４３において例えば、赤色、緑色及び青色発光用のＥＬ素子の両端電圧ＶｅＲ，ＶｅＧ，ＶｅＢがＶｅＲ＝３０（Ｖ），ＶｅＧ＝２９（Ｖ），ＶｅＢ＝２６（Ｖ）と設定され、ステップＳ４５にてこれらの両端電圧ＶｅＲ，ＶｅＧ，ＶｅＢ各々と逆バイアス電圧Ｖｃｃ＝２０（Ｖ）との差がオフセット電圧ＶＲ，ＶＧ，ＶＢとして算出されると、ＶＲ＝１０（Ｖ），ＶＧ＝９（Ｖ），ＶＢ＝６（Ｖ）となる。上記したように赤色の許容範囲ＶＬＬＲ〜ＶＨＬＲは−５（Ｖ）〜３（Ｖ）、緑色の許容範囲ＶＬＬＧ〜ＶＨＬＧは−５（Ｖ）〜２（Ｖ）、青色の許容範囲ＶＬＬＢ〜ＶＨＬＢは−５（Ｖ）〜１（Ｖ）であるならば、ステップＳ４５で算出されたオフセット電圧はいずれも許容範囲外である。よって、ステップＳ４９にて各オフセット電圧ＶＲ，ＶＧ，ＶＢ及び逆バイアス電圧Ｖｃｃの再設定が行われ、両端電圧ＶｅＲ，ＶｅＧ，ＶｅＢの各電圧レベルを比較して２番目に高い電圧ＶｅＧ＝２９（Ｖ）が逆バイアス電圧Ｖｃｃとして再設定される。各オフセット電圧ＶＲ，ＶＧ，ＶＢはＶＲ＝１（Ｖ），ＶＧ＝０（Ｖ），ＶＢ＝−３（Ｖ）と再設定される。
【００６８】
発光制御回路１２は、データ入力部１９の色合い調整レバーをユーザが操作したときにそのときの輝度データに応じて色合い調整ルーチンを実行する。この色合い調整ルーチンにおいては、図２２に示すように先ず、データ入力部１９から出力された赤色、緑色及び青色各々の輝度データを読み取り（ステップＳ６１）、赤色、緑色及び青色各々の輝度データに対応する駆動電流ＩＲ，ＩＧ，ＩＢをデータテーブル検索して設定し（ステップＳ６２）、更に、駆動電流ＩＲ，ＩＧ，ＩＢに対応する赤色、緑色及び青色発光用のＥＬ素子の両端電圧ＶｅＲ，ＶｅＧ，ＶｅＢをデータテーブル検索して設定する（ステップＳ６３）。ステップＳ６２及びＳ６３の動作はステップＳ３３及びＳ３４と同一である。
【００６９】
発光制御回路１２は、メモリ２０に記憶された逆バイアス電圧Ｖｃｃを読み出し（ステップＳ６４）、ステップＳ６３の両端電圧ＶｅＲ，ＶｅＧ，ＶｅＢと読み出した逆バイアス電圧Ｖｃｃとを用いてオフセット電圧ＶＲ，ＶＧ，ＶＢを算出する（ステップＳ６５）。すなわち、オフセット電圧はＶＲ＝ＶｅＲ−Ｖｃｃ，ＶＧ＝ＶｅＧ−Ｖｃｃ，ＶＢ＝ＶｅＢ−Ｖｃｃのように算出される。
【００７０】
発光制御回路１２は、算出した各オフセット電圧ＶＲ，ＶＧ，ＶＢが所定の許容範囲内の電圧であるか否かを判別する（ステップＳ６６）。オフセット電圧はクロストーク発光しないように設定する必要があるので、赤色の許容範囲ＶＬＬＲ〜ＶＨＬＲ、緑色の許容範囲ＶＬＬＧ〜ＶＨＬＧ、青色の許容範囲ＶＬＬＢ〜ＶＨＬＢに各々制限されている。各オフセット電圧ＶＲ，ＶＧ，ＶＢが対応する所定の許容範囲ＶＬＬＲ〜ＶＨＬＲ，ＶＬＬＧ〜ＶＨＬＧ，ＶＬＬＢ〜ＶＨＬＢ内にあるならば、メモリ２０に記憶された両端電圧ＶｅＲ，ＶｅＧ，ＶｅＢのうちの２番目に高い両端電圧が変化したか否かを判別する（ステップＳ６７）。すなわち、メモリ２０に記憶されている前回の両端電圧ＶｅＲ，ＶｅＧ，ＶｅＢのうちの２番目に高い電圧となっていた色用のＥＬ素子の両端電圧が今回のステップＳ６３の両端電圧ＶｅＲ，ＶｅＧ，ＶｅＢの設定で異なる電圧に変化したか否かが判別される。前回の両端電圧ＶｅＲ，ＶｅＧ，ＶｅＢのうちの２番目に高い電圧となっていた色用のＥＬ素子の両端電圧が変化していないならば、その色用のＥＬ素子の両端電圧は今回も２番目に高い電圧であるか否かを判別する（ステップＳ６８）。すなわち、前回の両端電圧ＶｅＲ，ＶｅＧ，ＶｅＢのうちの２番目に高い電圧と、今回の両端電圧ＶｅＲ，ＶｅＧ，ＶｅＢのうちの２番目に高い電圧とが同一色のＥＬ素子の両端電圧であるか否かが判別される。
【００７１】
ステップＳ６８の判別結果、前回２番目に高い電圧となった色用のＥＬ素子の両端電圧が今回も２番目に高い電圧であるならば、設定した駆動電流ＩＲ，ＩＧ，ＩＢになるように可変電流源１７１Ｒ，１７１Ｇ，１７１Ｂ〜１７ｍＲ，１７ｍＧ，１７ｍＢを制御し（ステップＳ６９）、また可変電圧源１８１Ｒ，１８１Ｇ，１８１Ｂ〜１８ｍＲ，１８ｍＧ，１８ｍＢの出力電圧を設定したオフセット電圧ＶＲ，ＶＧ，ＶＢになるように制御する（ステップＳ７０）。
【００７２】
ステップＳ６６の判別結果、各オフセット電圧ＶＲ，ＶＧ，ＶＢが所定の許容範囲内の電圧ではない場合、ステップＳ６７の判別結果、前回の両端電圧ＶｅＲ，ＶｅＧ，ＶｅＢのうちの２番目に高い電圧となっていた色用のＥＬ素子の両端電圧が変化した場合、又はステップＳ６８の判別結果、前回２番目に高い電圧となった色用のＥＬ素子の両端電圧が今回は２番目に高い電圧ではない場合には、各オフセット電圧ＶＲ，ＶＧ，ＶＢが対応する所定の電圧範囲ＶＬＬＲ〜ＶＨＬＲ，ＶＬＬＧ〜ＶＨＬＧ，ＶＬＬＢ〜ＶＨＬＢ内の電圧になるように逆バイアス電圧Ｖｃｃ及び各オフセット電圧ＶＲ，ＶＧ，ＶＢを再設定する（ステップＳ７１）。このステップＳ７１による逆バイアス電圧Ｖｃｃの再設定は上記のステップＳ３５の場合と同様の方法で行われ、各オフセット電圧ＶＲ，ＶＧ，ＶＢの再設定はステップＳ３６の場合と同様の方法で行われる。
【００７３】
発光制御回路１２はステップＳ７１の実行後、可変電圧源２１１〜２１ｎの出力電圧を設定した逆バイアス電圧Ｖｃｃになるように制御し（ステップＳ７２）、ステップＳ６９に進んで設定した駆動電流ＩＲ，ＩＧ，ＩＢになるように可変電流源１７１Ｒ，１７１Ｇ，１７１Ｂ〜１７ｍＲ，１７ｍＧ，１７ｍＢを制御し、その後、ステップＳ７０に進んで可変電圧源１８１Ｒ，１８１Ｇ，１８１Ｂ〜１８ｍＲ，１８ｍＧ，１８ｍＢの出力電圧を設定したオフセット電圧ＶＲ，ＶＧ，ＶＢになるように制御する。
【００７４】
ステップＳ７０の実行後は、設定した逆バイアス電圧Ｖｃｃ、オフセット電圧ＶＲ，ＶＧ，ＶＢ及び駆動電流ＩＲ，ＩＧ，ＩＢをメモリ２０に記憶させる（ステップＳ７３）。
データ入力部１９の色合い調整レバーの操作によってステップＳ６３において例えば、赤色、緑色及び青色発光用のＥＬ素子の両端電圧ＶｅＲ，ＶｅＧ，ＶｅＢがＶｅＲ＝２３（Ｖ），ＶｅＧ＝２０（Ｖ），ＶｅＢ＝２１（Ｖ）と設定され、ステップＳ６５にてこれらの両端電圧ＶｅＲ，ＶｅＧ，ＶｅＢ各々と逆バイアス電圧Ｖｃｃ＝２０（Ｖ）との差がオフセット電圧ＶＲ，ＶＧ，ＶＢとして算出されると、ＶＲ＝３（Ｖ），ＶＧ＝０（Ｖ），ＶＢ＝１（Ｖ）となる。上記したように赤色の許容範囲ＶＬＬＲ〜ＶＨＬＲは−５（Ｖ）〜３（Ｖ）、緑色の許容範囲ＶＬＬＧ〜ＶＨＬＧは−５（Ｖ）〜２（Ｖ）、青色の許容範囲ＶＬＬＢ〜ＶＨＬＢは−５（Ｖ）〜１（Ｖ）であるならば、ステップＳ６５で算出されたオフセット電圧はいずれも許容範囲内である。前回の両端電圧ＶｅＲ，ＶｅＧ，ＶｅＢがＶｅＲ＝２２（Ｖ），ＶｅＧ＝２０（Ｖ），ＶｅＢ＝１８（Ｖ）であったならば、前回の２番目に高い電圧は緑色用のＥＬ素子の両端電圧であるＶｅＧである。ところが、今回の２番目に高い電圧は青色用のＥＬ素子の両端電圧であるＶｅＢである。よって、ステップＳ６１にて各オフセット電圧ＶＲ，ＶＧ，ＶＢ及び逆バイアス電圧Ｖｃｃの再設定が行われ、両端電圧ＶｅＲ，ＶｅＧ，ＶｅＢの各電圧レベルを比較して２番目に高い電圧ＶｅＢ＝２１（Ｖ）が逆バイアス電圧Ｖｃｃとして再設定される。各オフセット電圧ＶＲ，ＶＧ，ＶＢはＶＲ＝２（Ｖ），ＶＧ＝−１（Ｖ），ＶＢ＝０（Ｖ）と再設定される。
【００７５】
上記したオフセット電圧ＶＲ，ＶＧ，ＶＢ各々の所定の許容範囲ＶＬＬＲ〜ＶＨＬＲ，ＶＬＬＧ〜ＶＨＬＧ，ＶＬＬＢ〜ＶＨＬＢは適宜設定される。ＶＨＬＲ，ＶＨＬＧ，ＶＨＬＢの上限値は発光閾値電圧ＶｔｈＲ，ＶｔｈＧ，ＶｔｈＢであり、オフセット電圧が発光閾値電圧を越えると、リセット期間中に微発光したり、走査されていない陰極線上のＥＬ素子がクロストーク発光する可能性がある。ＶＬＬＲ，ＶＬＬＧ，ＶＬＬＢの下限値には特に制限がない。ただし、電力効率を考慮した場合には適当な範囲に設定することが望ましい。すなわち、走査されていない陰極線と駆動されている陽極線との交差部分に位置するＥＬ素子の寄生容量には、オフセット電圧に対応して発光に寄与しない無効な電荷が充電されるので、この電荷量を少なくするためには適当な範囲で下限値を設定した方が良い。
【００７６】
赤色、緑色及び青色各々の所定の許容範囲ＶＬＬＲ〜ＶＨＬＲ，ＶＬＬＧ〜ＶＨＬＧ，ＶＬＬＢ〜ＶＨＬＢを満たす逆バイアス電圧Ｖｃｃを設定することができない場合には、両端電圧ＶｅＲ，ＶｅＧ，ＶｅＢが最大の色用のＥＬ素子の発光閾値電圧を越えない限界値に逆バイアス電圧Ｖｃｃを設定することが行われる。
上記した発光表示パネルの各ＥＬ素子は長時間発光させると劣化してＶ−Ｉ特性が変化する。例えば、合計の発光時間が短い場合には図２３に示すようにＶ−Ｉ特性であるが、合計の発光時間が長くなると、図２４に示すようにＥＬ素子の両端電圧Ｖの同一値に対する電流Ｉが全体的に低下し、電流Ｉに比例する輝度Ｌも低下する。そこで、合計の発光時間を計測し、発光時間に応じてＶ−Ｉ特性を適宜測定してデータテーブルを補償することが考えられる。測定では所定の電流値間隔でＥＬ素子に電流を流してそのときの両端電圧を検出し、補償するための係数を算出すれば良い。
【００７７】
上記した実施例においては、駆動電流ＩＲ，ＩＧ，ＩＢに対応する赤色、緑色及び青色発光用のＥＬ素子の両端電圧ＶｅＲ，ＶｅＧ，ＶｅＢをデータテーブル検索して設定しているが、駆動電流−両端電圧特性を示す関数式を赤色、緑色及び青色毎に記憶しておき、その関数式を用いてＥＬ素子の両端電圧ＶｅＲ，ＶｅＧ，ＶｅＢを算出しても良い。
【００７８】
また、発光すべきＥＬ素子に駆動電流を電流源から供給しているが、ＥＬ素子に順方向に発光閾値電圧より若干高い電圧が印加されるように電圧源から電位を現駆動ドライブ線に与えるようにしても良い。
【００７９】
【発明の効果】
以上の如く、本発明によれば、発光色各々の輝度の段階を示す輝度データに応じて容量性発光素子の種類毎に駆動電流及びオフセット電圧の各レベルを設定すると共に、オフセット電圧がオフセット電圧の許容範囲内となるように第２電位を決定するので、発光色が互いに異なる容量性発光素子各々の発光の立ち上がり特性の改善を図ることができる。
【図面の簡単な説明】
【図１】有機エレクトロルミネッセンス素子の断面を示す図である。
【図２】有機エレクトロルミネッセンス素子の等価回路を示す図である。
【図３】有機エレクトロルミネッセンス素子の駆動電圧−電流−発光輝度特性を概略的に示す図である。
【図４】従来の駆動装置の発光制御動作を説明するためのブロック図である。
【図５】従来の駆動装置の発光制御動作を説明するためのブロック図である。
【図６】従来の駆動装置の発光制御動作を説明するためのブロック図である。
【図７】本発明を適用したディスプレイ装置の概略的構成を示すブロック図である。
【図８】図７の装置中の陰極線走査回路、陽極線ドライブ回路及び発光表示パネルの構成を具体的に示す図である。
【図９】発光制御ルーチンを示すフローチャートである。
【図１０】色合い調整ルーチンを示すフローチャートである。
【図１１】走査期間の発光制御動作を説明するためのブロック図である。
【図１２】リセット期間の発光制御動作を説明するためのブロック図である。
【図１３】次の走査期間の発光制御動作を説明するためのブロック図である。
【図１４】色合い調整によるＥＬ素子の両端電圧の変化を示す図である。
【図１５】本発明を適用した他のディスプレイ装置の一部を示すブロック図である。
【図１６】色合い調整ルーチンを示すフローチャートである。
【図１７】データテーブルを示す図である。
【図１８】３原色各々のオフセット電圧と逆バイアス電圧との関係を示す図である。
【図１９】赤色の輝度を極端に低下させた場合のオフセット電圧と逆バイアス電圧との関係を示す図である。
【図２０】初期設定ルーチンを示すフローチャートである。
【図２１】明るさ調整ルーチンを示すフローチャートである。
【図２２】色合い調整ルーチンを示すフローチャートである。
【図２３】合計発光時間が短い場合のＥＬ素子の電圧Ｖ−電流Ｉ特性を示す図である。
【図２４】合計発光時間が長い場合のＥＬ素子の電圧Ｖ−電流Ｉ特性を示す図である。
【符号の説明】
１，１３  陰極線走査回路
２，１４  陽極線ドライブ回路
２１Ｒ，２１Ｇ，２１Ｂ〜２ｍＲ，２ｍＧ，２ｍＢ、１７１Ｒ，１７１Ｇ，１７１Ｂ〜１７ｍＲ，１７ｍＧ，１７ｍＢ    電流源
４，１２  発光制御回路
５１  〜５ｎ、１５１  〜１５ｎ    走査スイッチ
６１Ｒ，６１Ｇ，６１Ｂ〜６ｍＲ，６ｍＧ，６ｍＢ、１６１Ｒ，１６１Ｇ，１６１Ｂ〜１６ｍＲ，１６ｍＧ，１６ｍＢ  ドライブスイッチ
１８１Ｒ，１８１Ｇ，１８１Ｂ〜１８ｍＲ，１８ｍＧ，１８ｍＢ、２１１  〜２１ｎ  可変電圧源
１１  発光表示パネル
Ａ１Ｒ，Ａ１Ｇ，Ａ１Ｂ〜ＡｍＲ，ＡｍＧ，ＡｍＢ  陽極線
Ｂ１  〜Ｂｎ  陰極線
Ｅ１Ｒ，１，Ｅ１Ｇ，１，Ｅ１Ｂ，１〜ＥｍＲ，ｎ，ＥｍＧ，ｎ，ＥｍＢ，ｎ  有機エレクトロルミネッセンス素子
【図１】
0003613451.tif 000002
【図２】
0003613451.tif 000003
【図３】
0003613451.tif 000004
【図４】
0003613451.tif 000005
【図５】
0003613451.tif 000006
【図６】
0003613451.tif 000007
【図７】
0003613451.tif 000008
【図８】
0003613451.tif 000009
【図９】
0003613451.tif 000010
【図１０】
0003613451.tif 000011
【図１１】
0003613451.tif 000012
【図１２】
0003613451.tif 000013
【図１３】
0003613451.tif 000014
【図１４】
0003613451.tif 000015
【図１５】
0003613451.tif 000016
【図１６】
0003613451.tif 000017
【図１７】
0003613451.tif 000018
【図１８】
0003613451.tif 000019
【図１９】
0003613451.tif 000020
【図２０】
0003613451.tif 000021
【図２１】
0003613451.tif 000022
【図２２】
0003613451.tif 000023
【図２３】
0003613451.tif 000024
【図２４】
0003613451.tif 000025